(57)【要約】【課題】便座支持部材を浮上させて清掃するときの利便性を向上させる。【解決手段】便座３ｅ及び便蓋３ｆが起倒方向回動自在に取り付けられている便座支持部材２のフロントベースプレート３ａに開閉ユニット１３及び温水洗浄ノズル１０，１１が設置されている。リアベースプレート４ａに浮上ユニット２０が設けられている。便座支持部材２が浮上した状態にあるときに便座支持部材２内の多くの電装品への通電は遮断するが、浮上ユニット２０へは通電可能としておき、スイッチ操作により下降可能とする。便座支持部材２が下降すると、電装品への通電が自動的に再開する。【選択図】　図２
2004089523.tif 000002
【特許請求の範囲】
【請求項１】
便器本体と、
該便器本体に設けられた便座支持部材と、
該便座支持部材に支持された便座と、
該便座支持部材を昇降させる昇降装置と、
該便座支持部材の上昇時に該便座支持部材に設けられた少なくとも一部の電装品を非通電状態とする手段とを備えた便器設備において、
該便座支持部材の下降後に電装品を通電状態に復帰させる手段を備えたことを特徴とする便器設備。
【請求項２】
便器本体と、
該便器本体に設けられた便座支持部材と、
該便座支持部材に支持された便座と、
該便座支持部材を昇降させる電動式昇降装置と、
該便座支持部材の上昇時に該便座支持部材に設けられた少なくとも一部の電装品を非通電状態とする手段とを備えた便器設備において、
該便座支持部材の上昇後にあっても該電動式昇降装置へは通電可能としてあることを特徴とする便器設備。
【請求項３】
便器本体と、
該便器本体に設けられた便座支持部材と、
該便座支持部材に支持された便座と、
該便座支持部材に設けられた温水洗浄ノズルと、
該便座支持部材を昇降させる昇降装置と、
該便座支持部材の上昇時に該便座支持部材に設けられた少なくとも一部の電装品を非通電状態とする手段とを備えた便器設備において、
該便座支持部材の上昇後にあっても該温水洗浄ノズルを前進させる機構又は該温水洗浄ノズルを洗浄する機構へは通電可能としてあることを特徴とする便器設備。
【請求項４】
便器本体と、
該便器本体に設けられた便座支持部材と、
該便座支持部材に支持された便座と、
該便座支持部材に設けられた、該便器本体に洗浄水を供給する電動式洗浄水供給装置と、
該便座支持部材を昇降させる昇降装置と、
該便座支持部材の上昇時に該便座支持部材に設けられた少なくとも一部の電装品を非通電状態とする手段とを備えた便器設備において、
該便座支持部材の上昇後にあっても該電動式洗浄水供給装置へは通電可能としてあることを特徴とする便器設備。
【発明の詳細な説明】
【０００１】
【発明の属する技術分野】
本発明は、便座支持部材を昇降させる機構を備えた便器設備に関する。
【０００２】
【従来の技術】
洋風便器の上面に設置された便座は、便座支持部材を介して洋風便器に対し俯仰方向に回動自在に取り付けられている。
【０００３】
この便座支持部材と洋風便器上面との間に尿などの汚れが染み込んで臭気の原因となり易い。そこで、便座支持部材を洋風便器に対し上下動可能とし、洋風便器の清掃時に便座支持部材を便座と共に上方に移動（浮上）させるようにしたものが提案されている（特開平７−２３８５８２号、特開２０００−３３０５１号公報）。
【０００４】
また、この特開平７−２３８５８２号の請求項１４には、便座支持部材を上昇させたときに洗浄装置本体及び暖房便座等の電気機器への通電を遮断することが記載されている。
【０００５】
【特許文献１】
特開２０００−３３０５１号公報
【特許文献２】
特開平７−２３８５８２号公報
【０００６】
【発明が解決しようとする課題】
本発明は、便座支持部材を浮上させて清掃を行うときの清掃作業者の動作が一層容易となる便器設備を提供することを目的とする。
【０００７】
【課題を解決するための手段】
本発明（請求項１）の便器設備は、便器本体と、該便器本体に設けられた便座支持部材と、該便座支持部材に支持された便座と、該便座支持部材を昇降させる昇降装置と、該便座支持部材の上昇時に該便座支持部材に設けられた少なくとも一部の電装品を非通電状態とする手段とを備えた便器設備において、該便座支持部材の下降後に電装品を通電状態に復帰させる手段を備えたことを特徴とするものである。
【０００８】
かかる便器設備にあっては、便座支持部材を浮上させて清掃を行った後、便座支持部材を下降させると、該便座支持部材に設けられた電装品が自動的に通電状態に復帰するので、清掃作業者が通電用スイッチを操作することが不要である。また、使用者が便器設備を使用しようとしたときに該便器設備が非通電状態となっている事態（例えば、便座が冷たくなっていたり、温水が出ない等の事態）が確実に防止される。
【０００９】
本発明（請求項２）の便器設備は、便器本体と、該便器本体に設けられた便座支持部材と、該便座支持部材に支持された便座と、該便座支持部材を昇降させる電動式昇降装置と、該便座支持部材の上昇時に該便座支持部材に設けられた少なくとも一部の電装品を非通電状態とする手段とを備えた便器設備において、該便座支持部材の上昇後にあっても該電動式昇降装置へは通電可能としてあることを特徴とするものである。
【００１０】
かかる便器設備にあっては、清掃終了後に便座支持部材を電動により下降させることができ、きわめて便利である。
【００１１】
本発明（請求項３）の便器設備は、便器本体と、該便器本体に設けられた便座支持部材と、該便座支持部材に支持された便座と、該便座支持部材に設けられた温水洗浄ノズルと、該便座支持部材を昇降させる昇降装置と、該便座支持部材の上昇時に該便座支持部材に設けられた少なくとも一部の電装品を非通電状態とする手段とを備えた便器設備において、該便座支持部材の上昇後にあっても該温水洗浄ノズルを前進させる機構又は該温水洗浄ノズルを洗浄する機構へは通電可能としてあることを特徴とするものである。
【００１２】
かかる便器設備にあっては、温水洗浄ノズルを容易に清掃することができ、きわめて便利である。
【００１３】
本発明（請求項４）の便器設備は、便器本体と、該便器本体に設けられた便座支持部材と、該便座支持部材に支持された便座と、該便座支持部材に設けられた、該便器本体に洗浄水を供給する電動式洗浄水供給装置と、該便座支持部材を昇降させる昇降装置と、該便座支持部材の上昇時に該便座支持部材に設けられた少なくとも一部の電装品を非通電状態とする手段とを備えた便器設備において、該便座支持部材の上昇後にあっても該電動式洗浄水供給装置へは通電可能としてあることを特徴とするものである。
【００１４】
かかる便器設備にあっては、便座支持部材を上昇させて便器上面等を清掃する場合に併せて鉢面も洗剤で洗浄したときには、便座支持部材を下降させることなく鉢面に洗浄水を流すフラッシュ動作を行うことができ、きわめて便利である。
【００１５】
【発明の実施の形態】
以下、図面を参照して実施の形態について説明する。図１は実施の形態に係る便器設備の側面図であり、（ａ）図は便座支持部材の浮上前、（ｂ）図は便座支持部材の浮上後の状態を示している。図２は、この便器設備の斜視図である。
【００１６】
陶器製の洋風便器本体１の後部上面に便座支持部材２が昇降可能に設置されており、この便座支持部材２にヒータ付きの暖房便座３ｅ及び便蓋３ｆが起倒方向回動自在に取り付けられている。
【００１７】
この実施の形態では、便座支持部材２は、前部に配置された昇降可能なフロントベースプレート３ａと、無底箱状の合成樹脂製のカバー３ｄとによって外殻が形成されている。このフロントベースプレート３ａに、人体臀部を温水で洗浄するための温水洗浄ノズル１０，１１及びモータ駆動式温水切替弁装置１２が設置されている。また、このフロントベースプレート３ａの底面には、便座支持部材２が浮上したときにその下側領域Ｓを照らすための照明３ｇが設けられている。この照明３ｇとしてはＬＥＤが好適であるが、これに限定されない。
【００１８】
また、このフロントベースプレート３ａ上には、便座３ｅ及び便蓋３ｆを開閉させる電動開閉ユニット１３、人体臀部に向けて温風を吹き出してその乾燥を行う温風ファン１４、便鉢内から臭気を含んだ空気を吸引して脱臭する脱臭ファン１５及び脱臭カートリッジ１６が設けられている。カバー３ｄには、便器本体１に近づいたり着座した人体を検知するための人体検知センサ１７，１８が設けられている。
【００１９】
便器本体１の最後部上面には、カバー３ｄの後部側が上方から被さるようにリアベースプレート４ａが設けられている。このリアベースプレート４ａには、前記温水洗浄ノズルへ温水を供給するためのヒータ付き温水タンク４ｂ（図１にのみ図示）、便座支持部材２を押し上げたり、降下させたりするためのモータ駆動式浮上ユニット２０、ヒータ及び電動ファンよりなる部屋暖房ファン２１、電源基板２２、制御回路基板２３、便鉢やトラップ部へ水を供給するためのフラッシュ用バルブユニット２４等が設けられている。
【００２０】
この温水洗浄機構等は、トイレルームの壁面に取り付けられたリモコンによって操作される。このリモコンには、浮上ユニット２０を浮上動作させるための浮上スイッチと、浮上ユニット２０を下降動作させるための下降スイッチとが設けられている。この浮上スイッチ及び下降スイッチからの信号は、前記制御回路基板２３に設けられた浮上ユニット制御回路に入力されている。また、この制御回路基板２３には、人体検知センサ１７，１８や、リモコンに設けられた臀部乾燥スイッチ、部屋暖房スイッチ、洗浄スイッチ、フラッシュスイッチからの信号に基づいて電動開閉ユニット１３、温風ファン１４、脱臭ファン１５、部屋暖房ファン２１、切替弁装置１２、バルブユニット２４を制御する制御回路が搭載されている。リアベースプレート４ａには、フロントベースプレート３ａの上昇終了及び下降終了を検出するセンサ（例えばリミットスイッチ）が設けられており、このセンサの検出信号も各制御回路に入力されている。
【００２１】
この便器設備の作動について次に説明する。
【００２２】
浮上スイッチを操作すると、浮上ユニット２０が便座支持部材２のフロントベースプレート３ａ及びカバー３ｄを所定高さまで押し上げ、その状態に停止させる。また、フロントベースプレート３ａが上昇すると、照明３ｇが点灯する。これにより、浮上した便座支持部材２の前部の下側スペース（下側領域）Ｓが照明される。このように下側領域Ｓが明るく照らされるので、該下側領域Ｓに臨む便器本体の上面や、フロントベースプレート３ａの下面等を容易に清掃することができる。
【００２３】
この実施の形態にあっては、該便座支持部材２のフロントベースプレート３ａが上昇した状態にあるときには、電動開閉ユニット１３、温風ファン１４、脱臭ファン１５、温水タンク４ｂのヒータ、及び部屋暖房ファン２１への通電が遮断される。これにより、安心して水拭き等の清掃を行うことができる。また、この実施の形態にあっては、リモコンの下降スイッチを操作すると、照明３ｇが消灯すると共に、浮上ユニットが下降動作し、この上昇状態にあったフロントベースプレート３ａ及びカバー３ｄが下降する。そして、これらが下降し終ると、電動開閉ユニット１３、温風ファン１４、脱臭ファン１５、温水タンク４ｂのヒータ、及び部屋暖房ファン２１への通電が自動的に再開される。
【００２４】
そのため、フロントベースプレート３ａを浮上させて清掃した後、下降スイッチを操作すると、便座支持部材２が洋風便器本体１上に据え付けられ且つ各電装品が稼動状態となっている便器使用可能状態に復帰する。これにより、清掃終了後に、便座支持部材の電装品への通電を再開させるためのスイッチ操作を行うことなく、便器設備を使用可能状態に復帰させることができる。また、この結果、清掃後に便器使用するときには、確実に便座３ｅ及び便蓋３ｆが人体検知に応じて自動開閉すると共に、暖房便座３ｅが暖まっており、臀部洗浄時には暖い温水が噴出し、脱臭ファンも確実に動作し、フラッシュ動作も確実に行われる。
【００２５】
なお、この実施の形態にあっては、フロントベースプレート３ａが上昇した状態にあっても、浮上ユニット２０へは通電可能とされているので、下降スイッチ操作によりフロントベースプレート３ａを下降させることができ、便利である。
【００２６】
また、この実施の形態では、フロントベースプレート３ａが上昇した状態にあっても、フラッシュ用バルブユニット２４へは通電可能とされている。そのため、リモコンのフラッシュ用スイッチを操作することにより、便鉢に洗浄水を流すことができる。これにより、便鉢を洗剤や薬剤で清掃した後に、便鉢に付着したり残留している洗剤成分等をフラッシュによって流去させることができる。
【００２７】
ただし、本発明では、この浮上時のフラッシュを禁止するよう構成してもよい。この場合には、便座支持部材２の上昇時にバルブユニット２４への通電を遮断すればよい。
【００２８】
この実施の形態にあっては、フロントベースプレート３ａが上昇した状態にあっても、温水切替弁装置１２へは通電可能とされている。このため、温水洗浄ノズルにノズル回りの洗浄を行うための洗浄水用回路が設けられているときには、この洗浄水用回路に水を供給し、ノズルを洗浄してもよい。
【００２９】
本発明では、温水洗浄ノズルを電動式ラックアンドピニオン機構等の前進機構によって水圧供給なしに突出させるよう構成してもよい。この場合には、フロントベースプレート３ａの上昇時においても該電動式ラックアンドピニオン機構等へは通電可能としておき、該電動式ラックアンドピニオン機構によってノズルを前進させてその清掃を行うことができるよう構成するのが好ましい。この電動式ラックアンドピニオン機構等の前進機構を採用したときには、フロントベースプレート３ａの上昇時に温水切替弁装置１２への通電を遮断することが望ましい。
【００３０】
本発明では、便座支持部材の上昇時には、便座支持部材内の照明３ｇ以外のすべての電装品への商用電源に基づく給電を遮断し、代りに、浮上ユニット２０、バルブユニット２４、温水切替弁装置１２のうちの少なくとも１つを、バックアップ用電池からの給電により動作させるようにしてもよい。このバックアップ用電池は蓄電池であってもよく、乾電池であってもよいが、電池切れの無い蓄電池の方が好ましい。蓄電池の代りにコンデンサを用いてもよい。
【００３１】
【発明の効果】
以上の通り、本発明によると、便座支持部材を浮上させて清掃するときの利便性が著しく向上する。
【図面の簡単な説明】
【図１】実施の形態に係る便器設備の側面図である。
【図２】図１の便器設備の斜視図である。
【符号の説明】
１　便器本体
２　便座支持部材
３ａ　フロントベースプレート
３ｅ　便座
３ｆ　便蓋
１３　開閉ユニット
１７，１８　人体検知センサ
２０　浮上ユニット
２３　制御回路基板
【図１】
2004089523.tif 000003
【図２】
2004089523.tif 000004